(57)【要約】【課題】暗い場所において他人に対し杖使用者の存在を効果的に認識させると共に、特定場所を明るく照らすことのできるものとする。【解決手段】上端に把手部を固定された上下向き棒状体１を備え、該棒状体１の下端部の特定長さ範囲を透光質部６となされた杖であって、前記透光質部６の下端に光源装設部８を設け、該光源装設部８は前記透光質部６の下端面に光を投射する第１の光源１４と、下方へ光を投射する第２の光源１５とを備えているものである。【選択図】図２
2006218259.tif 000002
【特許請求の範囲】
【請求項１】
上端に把手部を固定された上下向き棒状体を備え、該棒状体の下端部の特定長さ範囲を透光質部となされた杖であって、前記透光質部の下端に光源装設部を設け、該光源装設部は前記透光質部の下端面に光を投射する第１の光源と、光源装設部の下方へ光を投射する第２の光源とを備えていることを特徴とする照明杖。
【請求項２】
衝撃を付与されることにより衝撃付与時点から一定期間の間、前記第１の光源及び前記第２の光源に給電するものとした電気制御部を備えていることを特徴とする請求項１記載の照明杖。
【請求項３】
衝撃を付与されることにより衝撃付与時点から一定期間の間、前記第１の光源を点滅作動させると共に前記第２の光源を連続作動させるものとした電気制御部を備えたことを特徴とする請求項１記載の照明杖。
【請求項４】
前記光源装設部が電池収容部を備え、該電池収容部の上側に前記第１の光源を、そして下側に前記第２の光源を設けたことを特徴とする請求項１、２又は３記載の照明杖。
【請求項５】
前記電池収容部と、前記第１の光源又は前記第２の光源の少なくとも何れか一方との間に電気制御部を設けたことを特徴とする請求項４記載の照明杖。
【請求項６】
前記第２の光源を前記第１の光源よりも高出力となしたことを特徴とする請求項１、２、３、４又は５記載の照明杖。
【請求項７】
前記光源装設部の下端にゴム質の滑り止め冠部材を固設すると共に、第２の光源は該滑り止め冠部材の上下向き透孔を通じて光を下方へ投射することを特徴とする請求項１、２、３、４、５又は６記載の照明杖。
【発明の詳細な説明】
【技術分野】
【０００１】  本発明は、棒状体の一部が発光するようになされた照明杖に関するものである。
【背景技術】
【０００２】  棒状体の下端部に滑り止め冠部材を止着され、上端部に把手部を固設された杖であって
前記棒状体の下端部の特定長さ範囲を形成した透光質部の周面箇所を発光させるようになされたものは既に提案されている（例えば、特許文献１参照）【０００３】
【特許文献１】特開２００２−２６２９１３号公報
【発明の開示】
【発明が解決しようとする課題】
【０００４】  上記した従来の杖は、前記透光質部の周面箇所が発光するだけであり、暗い場所において他人に対し杖使用者の存在を認識させる上では有効であるものの、物を明るく照らしたいという要請には必ずしも十分なものとなっていないのが実状である。
本発明は上記要請に合理的に応じることのできる照明杖を提供することを目的としている。
【課題を解決するための手段】
【０００５】  上記目的を達成するため、第一の発明に係る照明杖は、請求項１に記載したように、上端に把手部を固定された上下向き棒状体を備え、該棒状体の下端部の特定長さ範囲を透光質部となされた杖であって、前記透光質部の下端に光源装設部を設け、該光源装設部は前記透光質部の下端面に光を投射する第１の光源と、該光源装設部の下方へ光を投射する第２の光源とを備えていることを特徴とするものである。【０００６】  上記発明は次のように具体化するのがよい。
即ち、請求項２に記載したように、衝撃を付与されることにより衝撃付与時点から一定長さの期間中のみ前記第１の光源及び前記第２の光源に電池から電力を供給するものとした電気制御部を備えているものとなす。【０００７】  また請求項３に記載したように、衝撃を付与されることにより衝撃付与時点から一定長さの期間中のみ、前記第１の光源を比較的短い周期で点滅作動させると共に前記第２の光源を連続的に点灯させるものとした電気制御部を備えたものとなす。【０００８】  また請求項４に記載したように、前記光源装設部が電池収容部を備え、該電池収容部の上側に前記第１の光源を、そして下側に前記第２の光源を設けたものとなす。【０００９】  また請求項５に記載したように、前記電池収容部と、前記第１の光源又は前記第２の光源の少なくとも何れか一方との間に電気制御部を設けたものとなす。【００１０】  また請求項６に記載したように、前記第２の光源を前記第１の光源よりも高出力となしたものとなす。【００１１】  さらには請求項７に記載したように、前記光源装設部の下端にゴム質の滑り止め冠部材を固設すると共に、前記第２の光源は該滑り止め冠部材の上下向き透孔を通じて光を下方へ投射するものとなす。
【発明の効果】
【００１２】  上記発明によれば、次のような効果が得られる。
即ち、請求項１記載のものによれば、第１の光源から発せられる光が透光質部の外周面から放射され、また第２の光源から発せられる光が棒状体の下端側延長方向を照射するようになすことができるのであり、この際、透光質部から放射される第１の光源の光は目立つ発光色で点滅するものとなすことができ、一方で棒状体の下端側延長方向を照射する第２の光源の光は明るい発光色となし且つ棒状体の下端側延長方向へ出来るだけ直接的に射出させて透孔質部の光よりも強くなすことができるのであり、従って透光質部の外周面から放射される第１の光源の光は特に夜間において杖使用者の周囲の者に杖使用者の存在を強く認識させるものとなって杖使用者に対する接触事故などを効果的に防止することができるのであり、また棒状体の下端側延長方向を照射する第２の光源の光が杖使用者の希望する箇所を集中的に明るく照らすことのできるものとなる。【００１３】  請求項２記載のものによれば、手操作される電源スイッチを設けないでも、杖使用者の歩行中に第１の光源及び第２の光源に電力を連続的に供給することができると共に杖の不使用時に第１の光源及び第２の光源への電力の供給を自動的に絶つことができるものとなり、構造の簡易化が図られると共に使い勝手が改善されるのである。【００１４】  請求項３記載のものによれば、手操作される電源スイッチを設けないでも、杖使用者の歩行期間中、第１の光源が自動的に点滅すると共に第２の光源が自動的に連続して点灯するものとなり、一方では杖の不使用時に第１の光源及び第２の光源への電力の供給が自動的に絶たれるものとなって、構造の簡易化が図られると共に使い勝手が改善されるほか、透光質部の外周面から放射される第１の光源の光が点滅することにより杖使用者の存在を周囲の者に一層強く認識させることができて杖使用者に対する接触事故をより確実に防止できるものである。【００１５】  請求項４記載のものによれば、第１の光源の光と第２の光源の光が格別な遮光壁を設けないでも本来的に必要な電池収容部により遮断されて、第１の光源の光は専ら透光質部側へ進行し、第２の光源の光は専ら棒状体の下端側延長方向へ進行するものとなり、それぞれの光源の機能が他側の光源の影響を受けることなく合理的且つ的確に得られるものとなり、また電池収容部内の電池から第１の光源及び第２の光源までの距離が短くなって電気配線が合理的に行えるのである。【００１６】  請求項５記載のものによれば、電気制御部が第１の光源の光と前記第２の光源の光とを遮断する上で寄与すると共に電池収容部内の電池、第１の光源及び第２の光源の相互間の距離が短くなって電気配線が合理的に行えるのであり、また電気関係部品を一体化させて製造及び保守などを合理的に行うことができるものとなる。【００１７】  請求項６記載のものによれば、第２の光源を第１の光源よりも高出力となしたため、全体としての電力消費を節約した上で第２の光源による照明を強くなすことができる。【００１８】  請求項７記載のものによれば、ゴム質の滑り止め冠部材の滑り止め効果を良好に維持させることができると共に第２の光源の光を上下向き透孔を通じて外方へ直接的投射させることにより上下向き棒状体の下端側延長方向を強く照らすことができるものである。
【発明を実施するための最良の形態】
【００１９】  図１は本発明に係る照明杖の一実施例を示す全体正面図、図２は前記照明杖の棒状体の下寄り箇所を示す正面視拡大断面図、図３は前記棒状体の透光質部に係りＡは平面図でＢは側面図、図４は前記棒状体の長さ調整手段を示す正面視拡大断面図、図５は前記棒状体の光源装設部の正面視拡大断面図である。
図１において、１は棒状体であり、２は棒状体１の上端部に固設された把手部、そして３は棒状体１の先端部に止着された滑り止め冠部材である。【００２０】  上記棒状体１についてさらに詳細に説明すると、比較的長いアルミ材製の上側管部材４と、この上側管部材４の先側に出入り可能に内挿されたアルミ材製の下側管部材５と、この下側管部材５の先側に密状に内嵌固定された棒状の透光質部６と、上側管部材４の上端から透光質部６の下端までの長さを変更調整するための長さ調整手段７とを備え、さらに透光質部６の下端に光源装設部８が延長状に固定されたものとなされている。４ａは上側管部材４の下端に固定された樹脂材からなる筒状の端末部材である。【００２１】  ここに、透光質部６は、図２及び図３に示すように、アクリル系樹脂材からなる丸棒部材６ａを形成され肉厚部に上下方向へ向かう複数本の光ファイバー９を同心円上の等角配置状に埋設され上部特定長さ個所ａ１を幾分細径となされたもので、下端面ａ２から上方ｆｌへ向けて光が入射されると、この光がアクリル系樹脂材や光ファイバー９の内孔を通じて上方ｆｌへ進行しこの進行過程でその一部がアクリル系樹脂材の粒子や光ファイバー９の外周面などで反射されて丸棒部材６ａの半径外方向へ向かいその全周面から放射されるようになされている。【００２２】  また透光質部６の上端面にはアルミテープからなる平坦な鏡面部１０が形成されており、該鏡面部１０は丸棒部材６ａや光ファイバー９を通って上方ｆ１へ進行し衝突した光を反射して下方へ進行させるものであり、こうして下方へ進行する反射光はアクリル系樹脂材の粒子や光ファイバー９の外周面などで反射されてやはり丸棒部材６ａの半径外方向へ向かい既にその全周面から放射されている光に重ねて放射される。【００２３】  そして、この透光質部６は下側管部材５の下端部に延長状に固定させるのであり、具体的には透光質部６の上部特定長さ個所ａ１の周面に接着剤を塗布してこの上部特定長さ個所６ａを下側管部材５の内孔内に密状に挿入する。【００２４】  また長さ調整手段７は任意に形成して差し支えないものであり、例えば図４に示すように、上側管部材４の下部に止めネジ部材１１の挿入孔ｂ１を形成すると共に、下側管部材５の長手方向個所の特定間隔位置に止めネジ部材１１の先部を螺入される複数のネジ孔ｂ２を列設し、上側管部材４と下側管部材５の上下方向相対位置を調整した後、これらネジ孔ｂ２の任意な何れかに挿入孔ｂ１を通じて止めネジ部材１１を螺着することにより上側管部材４と下側管部材５とを固定させ、上側管部材４の上端から透光質部６の下端までの長さを希望する長さになすものとなされる。【００２５】  光源装設部８は図２及び図５に示すように、数ｃｍ程度の比較的短いアルミ材製の管部材１２を備え、この管部材１２の内方に、電池収容部１３と、前記透光質部６の下端面に光を投射する第１の光源１４としてのＬＥＤ（発光ダイオード）と、下方へ光を投射する第２の光源１５としてのＬＥＤ（発光ダイオード）と、電気制御部１６ａ、１６ｂとを配設したものとなされている。【００２６】  上記電池収容部１３はステンレス材で形成され内方に短円柱状の複数の電池１７を直列状に嵌装された四角枠体���８を備えると共に、上辺面部１８ａと下辺面部１８ｂとに接触端子を設け、一方の接触端子１８ａ又は１８ｂが電池列の正極に、そして他方の接触端子１８ｂ又は１８ａが電池１７列の負極に圧接されるものとなされている。【００２７】  この際、上側の電気制御部１６ａは上辺面部１８ａに固定され、下側の電気制御部１６ｂは下辺面部１８ｂに固定されており、また第１の光源１４は上側の電気制御部１６ａの上側に支持片１９ａを介して四角枠体１８と同体状に固定され、第２の光源１５は下側の電気制御部１６ｂの下側に支持片１９ｂを介して四角枠体１８と同体状に固定されている。【００２８】  そして、電気制御部１６ａ及び電気制御部１６ｂは、全体として次のようになされているのであって、即ち、電源スイッチとしての衝撃スイッチ回路を形成されると共に、上側の光源１４へ比較的短い特定周期で通電するための繰り返し通電制御回路を形成されており、この際、衝撃スイッチ回路は１回の衝撃を付与されることにより衝撃付与時点から一定期間（例えば１０秒程度）の間のみ上下側のＬＥＤ１４、１５に通電し、また繰り返し通電制御回路は衝撃スイッチ回路の入り状態の下で上側のＬＥＤ１４を比較的短い特定周期で点滅作動させるものとなされている。また上側のＬＥＤ１４は赤色発光するものとなされ、下側のＬＥＤ１５は白色発光し且つ上側のＬＥＤ１４よりも高出力となされて一層明るく発光するものとなされている。【００２９】  本例においては上側の電気制御部１６ａは上側のＬＥＤ１４を制御するものとなされ、下側の電気制御部１６ｂは下側のＬＥＤ１５を制御するものとなされている。そして、衝撃スイッチ回路はそれぞれの電気制御部１６ａ、１６ｂに形成されており、また繰り返し通電制御回路は上側の電気制御部１６ａにのみ形成されている。【００３０】  管部材１２は透光質部６にネジ結合され、下端は開口状態となされており、電池収容部１３、電気制御部１６ａ、１６ａ、上側のＬＥＤ１４、及び、下側のＬＥＤ１５は一体状のまま管部材１２の下端開口から出し入れされるものとなされている。【００３１】  また滑り止め冠部材３はゴム質材で一体状に形成されており、図５に示すように、上端面側の中心部に比較的大きな径の差込み孔３ａを形成され、この差込み孔３ａより下側の中心部に比較的小さな径の下拡がりのテーパ状となされた透孔３ｂを形成されたものとなされている。【００３２】  そして、挿込み孔３ａの底面には環状金属板２０が嵌着されており、該環状金属板２０は挿込み孔３ａに液密状且つ抜き出し可能な弾圧状に内挿された管部材の下端を支持するものとなされている。また透孔３ｂの上下長さの途中箇所にはアクリル材からなる透光板２１が液密状に嵌着され滑り止め冠部材３の外方から管部材１２内に雨水などが侵入するのを阻止するものとなされている。【００３３】  次に上記した杖の使用例及び作用について説明する。
杖使用者は一方の手で把手部２を把持して棒状体１を起立させその下端部の滑り止め冠部材３を地面に押し当てるように使用する。【００３４】  滑り止め冠部材３が地面に押し当てられることにより棒状体１に特定大きさ以上の衝撃が付与されると、電気制御部１６ａ、１６ｂ内の衝撃スイッチ回路は入り状態になって、該入り状態となった時点から特定期間、例えば凡そ１０秒程度の間、該入り状態を持続させる。【００３５】  衝撃スイッチ回路の入り状態の期間中においては、上側のＬＥＤ１４は電気制御部１６ａの繰り返し通電制御回路により比較的短い周期（例えば凡そ０．５秒から１．０秒程度）で赤色発光による点滅を繰り返すのであり、一方、下側のＬＥＤ１５は白色発光による点灯を継続する。【００３６】  杖使用者が歩行すると、滑り止め冠部材３は少なくとも１０秒間に一回よりも多い頻度で地面に押し当てられるのであり、従って衝撃スイッチ回路は杖使用者が歩行している限り、先の衝撃で生成された入り状態が終了する前に次の衝撃による入り状態が生成されるようになって常に入り状態を継続するものとなる。【００３７】  この結果、杖使用者の歩行中、上側のＬＥＤ１４は常に赤色発光による点滅を継続し、下側のＬＥＤ１５は白色発光による点灯を継続する。【００３８】  上側のＬＥＤ１４の赤色発光は透光質部６の下端面ａ２から入射した後、上方へ進行しさらに鏡面部１０で反射されて下方へ進行するようになり、この往復の進行過程で透光質部６の半径方向へ反射された光が透光質部６の外周面から放射され、透光質部６の外周面の全体が赤色発光で点滅するものとなる。赤色発光の点滅は特に夜間において杖使用者の周囲を通行する自動車や自転車などの運転者や、他の歩行者により視認され易くなしてこれら注意を惹く上で効果的となり、これらの者と杖使用者との接触事故を防止する上で寄与する。【００３９】  一方、下側のＬＥＤ１５の白色発光は透孔３ｂ及び透光板２１を通じて滑り止め冠部材３の下方へ直接的に投射される。この際、ＬＥＤ１５が棒状体１の下端近傍にあること、及び、ＬＥＤ１５の白色発光が透孔３ｂを通じて投射されること、及び、上側のＬＥＤ１４よりも高出力となされていることが、全体の電力消費を少なくなした上で棒状体１の下端側延長方向を強く照らすものとなる。杖使用者は特定箇所を明るく照らしたいときには棒状体１をその特定箇所へ向けるようにする。この際、透孔３ｂが下拡がりのテーパ状となされていることは照明範囲を広く確保する上で有効である。【００４０】  杖使用者が歩行しないなどにより、先の衝撃の時点から凡そ１０秒が経過する前に次の衝撃が付与されないときは、衝撃スイッチ回路は先の衝撃で生成された入り状態を切り状態となすのであり、これにより上側のＬＥＤ１４及び下側のＬＥＤ１５は電力の供給を絶たれて消灯状態となる。【００４１】  電池１７を交換するときは、管部材１２から滑り止め冠部材３を抜き外し、電池収容部１３、電気制御部１６ａ、１６ｂ、第１のＬＥＤ１４、及び、第２のＬＥＤ１５を一体状のまま管部材１２の下端開口から抜き出し、四角枠体１８内の電池１７を交換した後、元に戻すようにする。【００４２】  次に上記実施例の変形例について説明する。
上記実施例では電気制御部１６ａ、１６ｂの衝撃スイッチ回路が一回の衝撃で入り状態になるものとして説明したが、これに代えて、衝撃スイッチ回路が比較的短い周期の複数回（例えば３回）の衝撃で入り状態となり、この後の同じ数の複数回の衝撃或いは異なる数の複数回（例えば４回）の衝撃で切り状態となるものとなすことも差し支えない。【００４３】  このようにすれば、杖使用者は任意時に衝撃スイッチ回路を入り切りさせることができ且つ入り状態と切り状態のそれぞれを杖使用者の歩行中にも継続させることができるようになるのであり、これにより杖使用者は昼間での歩行時に衝撃スイッチ回路を切り状態に維持させることができ、一方、夜間などでの歩行時には衝撃スイッチ回路を入り状態に維持させることができるものとなり、電力の消費を節約することができる。【００４４】  また上記実施例では電池収容部１３、電気制御部１６ａ、１６ｂ、第１のＬＥＤ１４、及び、第２のＬＥＤ１５は一体状に結合されたものとなしたが、必ずしもこのようにする必要はないのであり、各構成部品を適宜に分離配置することも差し支えない。【００４５】  また上記実施例では光源装設部８を滑り止め冠部材３より上側に位置させたが、滑り止め冠部材３を変形して該滑り止め冠部材３の内方に位置させても差し支えないのであり、この際、滑り止め冠部材３は透光質部６の下端に直接に外嵌させることもできる。【００４６】  さらには電池１７を充電可能なものとなすことも差し支えないのであり、この際、棒状体１に太陽光発電装置を組み込み、これにより電池１７を充電するようになすこともできる。
【図面の簡単な説明】
【００４７】
【図１】本発明に係る照明杖の一実施例を示す全体正面図である。
【図２】前記照明杖の棒状体の下寄り箇所を示す正面視拡大断面図である。
【図３】前記棒状体の透光質部に係りＡは平面図でＢは側面図である。
【図４】前記棒状体の長さ調整手段を示す正面視拡大断面図である。
【図５】前記棒状体の光源装設部の正面視拡大断面図である。
【符号の説明】
【００４８】１  棒状体
２  把手部
３  滑り止め冠部材
３ｂ  透孔
６  透光質部
８  光源装設部
１３  電池収容部
１４  光源（ＬＥＤ）
１５  光源（ＬＥＤ）
１６ａ  電気制御部
１６ｂ  電気制御部
ａ２  下端面
【図１】
2006218259.tif 000003
【図２】
2006218259.tif 000004
【図３】
2006218259.tif 000005
【図４】
2006218259.tif 000006
【図５】
2006218259.tif 000007